(57)【要約】【課題】清掃部材および給油部材としてのフェルトの交換が容易で、油またはグリース等潤滑剤の給油を長期間にわたり定常的に行え、給油忘れのおそれがなく、コストも低減できる回転体外周面清掃装置とそれを備えたオフセット輪転機を提供することを課題とする。【解決手段】清掃部材を回転体の外周面に押し付けて清掃する回転体外周面清掃装置において、清掃部材を着脱可能に保持するカセットと、前記外周面に清掃部材を向けて突出させた状態でカセットを装着し押圧手段で係止するガイドホルダと、ガイドホルダの固定手段とを備え、カセットと清掃部材は一体的に押圧手段に抗してガイドホルダに対し着脱できるとともに、押圧手段はカセットを押圧して清掃部材を前記外周面に向けて付勢するように構成し、さらに清掃部材内に先端が圧入される給油ノズルを備え給油装置に接続した。【選択図】            図１
2005138355.tif 000002
【特許請求の範囲】
【請求項１】
清掃部材を回転体の外周面に押し付けて清掃する回転体外周面清掃装置において、同清掃部材を着脱可能に保持するカセットと、前記清掃部材を前記外周面に向けて突出させた状態で前記カセットを装着し押圧手段で係止するガイドホルダと、同ガイドホルダの固定手段とを備え、前記カセットと清掃部材は一体的に前記押圧手段に抗して前記ガイドホルダに対し着脱できるとともに、同押圧手段は前記カセットを押圧して前記清掃部材を前記外周面に向けて付勢するように構成されてなることを特徴とする回転体外周面清掃装置。
【請求項２】
請求項１に記載の回転体外周面清掃装置において、前記ガイドホルダには、前記清掃部材が装着されるとき同清掃部材内に先端が圧入される給油ノズルを備えるとともに、同給油ノズルに潤滑剤を供給する給油装置を接続してなることを特徴とする回転体外周面清掃装置。
【請求項３】
請求項１または請求項２に記載の回転体外周面清掃装置において、前記カセットは断面コの字型で開口幅より底部幅の大きい嵌合溝を備え、同嵌合溝に圧入された前記清掃部材を弾性保持することを特徴とする回転体外周面清掃装置。
【請求項４】
請求項１ないし請求項３のいずれかに記載の回転体外周面清掃装置において、前記カセットは指を引っ掛けるための段差部または工具を挿入するための孔からなる前記ガイドホルダとのカセット着脱補助手段を備えてなることを特徴とする回転体外周面清掃装置。
【請求項５】
請求項１ないし請求項４のいずれかに記載の回転体外周面清掃装置を備えてなることを特徴とするオフセット輪転機。
【発明の詳細な説明】
【技術分野】
【０００１】
本発明は、オフセット輪転機等の版胴またはブランケット胴のベアラ外周面等の清掃装置のように、回転体の外周面に清掃部材を押し付けて清掃する回転体外周面清掃装置の改良に関し、またそれを備えたオフセット輪転機に関するものである。
【背景技術】
【０００２】
図５から図８に基づき、従来の回転体外周面清掃装置を、オフセット輪転機の版胴またはブランケット胴のベアラ外周面の清掃装置を例に説明する。図５は、一般的なオフセット輪転機の版胴とブランケット胴のベアラの説明図、図６（ａ）は、従来の一般的なベアラ等の回転体外周面清掃装置の概略構成説明図であり、（ｂ）は（ａ）中Ａ部詳細図である。図７は、改良された回転体外周面清掃装置の従来例の説明図であり、（ａ）は一部切り欠いた平面図、（ｂ）は側面断面図である。図８は、別の改良された回転体外周面清掃装置の従来例の説明図であり、（ａ）は一部切り欠いた平面図、（ｂ）は側面断面図である。
【０００３】
図５に示すように、オフセット輪転機の印刷装置部において、刷版を巻着する版胴１とブランケット胴２との印圧、すなわち接触圧力を設定する手段として、版胴１やブランケット胴２にはロール部軸方向の両側端においてそれぞれ、ベアラ３と称する円盤状の枕部が固設してある。版胴１やブランケット胴２の軸方向端部位置で相対する１対のベアラ３（３ａ、３ｂ）は印刷運転時、接触密着して回転する状態となる。
【０００４】
オフセット輪転機において安定した印刷品質を得るためには、各胴１、２間には、印刷時の反力や振動によりベアラ３ａと３ｂとの間に空隙が発生しない程度の適正な押圧力を設定保持する必要がある。すなわち、印刷時の版胴１とブランケット胴２間の接触圧は、相対するベアラ３（３ａ、３ｂ）の外周面３１を基準に設定され決定されている。
【０００５】
機能上ベアラ３は、相互の長期接触転動を行うため、経時的には外周面３１が磨耗、変形してくる。また、外周面３１に異物が付着した場合、相対的回転により各胴１、２に振動が発生し、上記の磨耗および変形が顕著に進行することになる。
【０００６】
異物の付着を防止し、ベアラ３の外周面３１の磨耗および変形を減少させるため、ベアラ外周面３１の清掃および給油は欠かすことができない。
【０００７】
従来のベアラ３の回転体外周面清掃装置２００としては、図６に示すようなものが一般的であった。
【０００８】
ブラケット４にコの字型状に形成した保持金具５を固設し、保持金具５の前端（開口側）の空間部５ａに清掃部材であるフェルト６装着している。保持金具５の後端内側部には、フェルト押付け手段としての圧縮バネ７を嵌め込んだ押さえピン８を貫通させ、握り９を固定している。押さえピン８には保持プレート１０が一体化され、最先端部をフェルト６に設けた孔６ａに挿入させている。
【０００９】
上記の回転体外周面清掃装置２００においては、油を含浸させたフェルト６は圧縮バネ７、保持プレート１０を介して押し出され、フェルト６の先端面をベアラ３の外周面３１である回転面に押圧接触させ、回転中の外周面３１の清掃と給油ができる。
【００１０】
フェルト６の着脱については、先ず、押さえピン８の握り９を引張り後退させた後、使用済みのフェルト６をベアラ３の横幅方向（軸方向）へ移動し、保持金具５から抜き取る。続いて、保持金具５の空間部５ａに新しいフェルト６を差し込み、押さえピン８の先端をフェルト６に形成した孔６ａに挿入させる。
【００１１】
上記のような従来の回転体外周面清掃装置２００は、フェルト（清掃部材）６の交換に際して、押さえピン８の先端をフェルト６から抜き取り、または挿入操作し固定させる必要があり、フェルト６に油が切れた場合には、その都度フェルト６とベアラ３の係合部に給油する必要がある。しかも油はフェルト２部に含浸されて給油されるため、油を溜める量が少なく、給油回数が多くなる。しかも構造上、給油した直後は供給量が多く、一方、時間が経過すると給油量が減少するため、給油量が変動するという問題があった。
【００１２】
上記のような従来の回転体外周面清掃装置２００におけるこれらの煩雑なフェルトの着脱、給油作業を改善すべく、従来種々の改良された回転体外周面清掃装置が提案されている。例えば、従来の改良された回転体外周面清掃装置として図７に例示した実公平７−３２０４５号公報（特許文献１）の印刷機のベアラワイパ３００では、印刷機のベアラ３の外周面３１に押し付けられるフェルト６を保持させるケース１１に、フェルト６と区画して油溜めタンク１２を設けると共に、油溜めタンク１２内と、フェルト６とを油の浸透材１３でつないで構成したものである。ケース１１は、支持ブラケット１４に装着され、バネ１５等の適宜のフェルト押付け手段を介して、図示しないフレーム側に取付けられる。
【００１３】
また、別の従来の改良された回転体外周面清掃装置として、図８に例示した特開２０００−９４６５０公報（特許文献２）の印刷機における回転体の異物清掃装置４００は、清掃部材としてのフェルト６を保持する保持部材１６を介してフェルト６を、回転体としてのベアラ３に押し付ける清掃装置で、フェルト６と保持部材１６との間には中間保持部材１７を備え、この中間保持部材１７には、フェルト６の移動を規制する規制部１７ａを設けフェルト６を一体化取付けすると共に、保持部材１６の被係合部１６ａと係合し、中間保持部材１７の移動を規制する係合部１７ｂを設けている。保持部材１６は、バネ１８等の適宜のフェルト押付け手段を介して図示しないフレーム側に取付けられる。
【００１４】
しかしながら、図７に示したベアラワイパ３００は、フェルト（清掃部材）６に油を供給する油溜めタンク１２を設けているものの、油溜めタンク１２の容量には自ずと限度があり小さく、油の補充を頻繁に行う必要があるという問題があった。
【００１５】
図８に示した回転体の異物清掃装置４００は、フェルト（清掃部材）６の差し替えは、フェルト６と一体化した中間保持部材１７も含め消耗品として交換する必要があり、製造コストが高騰するという問題があった。
【００１６】
【特許文献１】実公平７−３２０４５号公報（第１頁、第１図（Ａ）、（Ｂ））
【特許文献２】特開２０００−９４６５０公報（第１頁、図２）
【発明の開示】
【発明が解決しようとする課題】
【００１７】
本発明は、上記の従来装置の問題点を解消し、清掃部材および潤滑剤を供給する給油部材としてのフェルトの交換が容易で、油またはグリース等潤滑剤の供給（本明細書および特許請求の範囲、図面において、「給油」という）を長期間にわたり定常的に行え、給油忘れのおそれがなく、コストも低減できる回転体外周面清掃装置とそれを備えたオフセット輪転機を提供することを課題とするものである。
【課題を解決するための手段】
【００１８】
本発明は、上記の課題を解決するためになされ、下記の（１）から（５）の手段を提供するものであり、以下、特許請求の範囲に記載の順に説明する。
【００１９】
（１）その第１の手段として、清掃部材を回転体の外周面に押し付けて清掃する回転体外周面清掃装置において、同清掃部材を着脱可能に保持するカセットと、前記清掃部材を前記外周面に向けて突出させた状態で前記カセットを装着し押圧手段で係止するガイドホルダと、同ガイドホルダの固定手段とを備え、前記カセットと清掃部材は一体的に前記押圧手段に抗して前記ガイドホルダに対し着脱できるとともに、同押圧手段は前記カセットを押圧して前記清掃部材を前記外周面に向けて付勢するように構成されてなることを特徴とする回転体外周面清掃装置を提供する。
【００２０】
（２）第２の手段としては、第１の手段の回転体外周面清掃装置において、前記ガイドホルダには、前記清掃部材が装着されるとき同清掃部材内に先端が圧入される給油ノズルを備えるとともに、同給油ノズルに潤滑剤を供給する給油装置を接続してなることを特徴とする回転体外周面清掃装置を提供する。
【００２１】
（３）また、第３の手段として、第１の手段または第２の手段の回転体外周面清掃装置において、前記カセットは断面コの字型で開口幅より底部幅の大きい嵌合溝を備え、同嵌合溝に圧入された前記清掃部材を弾性保持することを特徴とする回転体外周面清掃装置を提供する。
【００２２】
（４）第４の手段として、第１の手段ないし第３の手段のいずれかの回転体外周面清掃装置において、前記カセットは指を引っ掛けるための段差部または工具を挿入するための孔からなる前記ガイドホルダとのカセット着脱補助手段を備えてなることを特徴とする回転体外周面清掃装置を提供する。
【００２３】
（５）第５の手段として、第１の手段ないし第４の手段のいずれかの回転体外周面清掃装置を備えてなることを特徴とするオフセット輪転機を提供する。
【発明の効果】
【００２４】
（１）特許請求の範囲に記載の請求項１の発明によれば、清掃部材を回転体の外周面に押し付けて清掃する回転体外周面清掃装置において、同清掃部材を着脱可能に保持するカセットと、前記清掃部材を前記外周面に向けて突出させた状態で前記カセットを装着し押圧手段で係止するガイドホルダと、同ガイドホルダの固定手段とを備え、前記カセットと清掃部材は一体的に前記押圧手段に抗して前記ガイドホルダに対し着脱できるとともに、同押圧手段は前記カセットを押圧して前記清掃部材を前記外周面に向けて付勢するように構成したので、押圧手段により清掃部材が回転体の外周面に押付けられ、所期の清掃機能を発揮できる他、押圧手段がカセットのガイドホルダ内での位置を規制しているため、カセット着脱の為の特段の固定、解除操作を加えることが不要であり、ガイドホルダから、カセットをフェルトと共にワンタッチで挿入、または抜き出して、着脱することができ、着脱作業が容易であり、新しい清掃部材を取り付けた予備のカセットを準備しておき、ストックしておけば、清掃部材の差し替え交換が短時間で行える。しかも、清掃部材は着脱可能にカセットに保持されているから、容易に使用済みの清掃部材を新しいものに交換することができ、カセットは再利用できるため、作業量が減少し省力化が図れ、保守コストを低減できるものとなる。
【００２５】
（２）請求項２の発明によれば、請求項１に記載の回転体外周面清掃装置において、前記ガイドホルダには、前記清掃部材が装着されるとき同清掃部材内に先端が圧入される給油ノズルを備えるとともに、同給油ノズルに潤滑剤を供給する給油装置を接続してなるように構成したので、請求項１の発明の作用効果に加え、給油ノズル先端は、清掃部材を弾性変形させて入り込む状態になるため、給油ノズルからの油またはグリース等潤滑剤が、ガイドホルダと清掃部材との隙間から漏れず、清掃部材の内部に浸透させることができ、潤滑剤の供給（給油）は、清掃部材に含浸させた潤滑剤だけによらず、給油装置から適宜自動的に潤滑剤を清掃部材内に補給できるため、給油忘れが無くなり確実に給油を行うことができ、メンテナンスの間隔が長くなり、長期にわたって清掃部材の安定した維持管理ができる。
【００２６】
（３）請求項３の発明によれば、請求項１または請求項２に記載の回転体外周面清掃装置において、前記カセットは断面コの字型で開口幅より底部幅の大きい嵌合溝を備え、同嵌合溝に圧入された前記清掃部材を弾性保持するように構成したので、請求項１または請求項２の発明の作用効果に加え、嵌合溝は、開口幅より底部幅が大きく底部を広くして、カセットに圧入された清掃部材は弾性保持されているため、抜落が防止される他、容易に使用済みの清掃部材を新しいものに交換することができる。
【００２７】
（４）請求項４の発明によれば、請求項１ないし請求項３のいずれかに記載の回転体外周面清掃装置において、前記カセットは指を引っ掛けるための段差部または工具を挿入するための孔からなる前記ガイドホルダとのカセット着脱補助手段を備えてなるように構成したので、請求項１ないし請求項３のいずれかの発明の作用効果に加え、カセット着脱補助手段により、カセットの段差部に指を引っ掛け、あるいは、カセットの孔にドライバー等の工具を挿入し、カセットをガイドホルダから抜き取ることができ、カセットの着脱作業が容易化する。
【００２８】
（５）請求項５の発明によれば、オフセット輪転機を、請求項１ないし請求項４のいずれかに記載の回転体外周面清掃装置を備えてなるように構成したので、請求項１ないし請求項４のいずれかの発明の作用効果により、請求項１ないし請求項４のいずれかに記載の回転体外周面清掃装置を、版胴、ブランケット胴のベアラ、あるいは他の胴のベアラの外周面の清掃装置として用いたオフセット輪転機は、メンテナンスの時間、コストを低減でき、精度の高い安定した印刷が容易となる。
【発明を実施するための最良の形態】
【００２９】
本発明は、清掃部材および給油部材としてのフェルトの交換が容易で、給油を長期間にわたり定常的に行え、給油忘れのおそれがなく、コストも低減できる回転体外周面清掃装置であり、本発明を実施するための最良の形態として、以下に一実施例を説明する。
【実施例】
【００３０】
図１から図４、および図５に基づき、本発明の一実施例に係る回転体外周面清掃装置およびそれを備えたオフセット輪転機を説明する。図１は、本実施例の回転体外周面清掃装置の基本構成説明図であり、（ａ）は平面断面図、（ｂ）は（ａ）中Ｂ−Ｂ矢視による側面断面図である。図２（ａ）、（ｂ）は図１のフェルトとカセットの着脱説明図、図３（ａ）、（ｂ）は図１のカセットとガイドホルダの着脱説明図である。また、図４は、本実施例の変形例の回転体外周面清掃装置の基本構成説明図であり、平面断面図である。
【００３１】
なお、本実施例もオフセット輪転機の版胴またはブランケット胴のベアラ外周面等の清掃装置を例に説明し、図５から図８において説明したものと同じ部分には同じ符号を付して説明を省略する。
【００３２】
また、本実施例の回転体外周面清掃装置を備えたオフセット輪転機は、その要部である版胴、ブランケット胴、およびそれらのベアラの構成は図５に示すものと同様であるので、図５を参照する。
【００３３】
図１、図２に示すように、本実施例の回転体外周面清掃装置１００は、清掃部材であるフェルト２０を、保持部材であるカセット２１、ガイドホルダ２２を介して、回転体であるベアラ３の外周面３１に押し付ける形式の清掃装置である。フェルト２０は払拭部材として清掃部材であるとともに、給油部材として用いられるが、長期間の使用に伴い変形、あるいは磨耗してくる。このため、適宜のタイミングで差し替え交換する必要がある。
【００３４】
本実施例においては、フェルト２０は、清掃するベアラ（回転体）３の外周面（回転面）３１に対し、容易に着脱できるよう構成されている。
【００３５】
すなわち、フェルト（清掃部材）２０を、カセット２１のコの字型状に形成した嵌合溝２１ａに嵌合させて弾性保持し、フェルト２０はカセット２１と共に一体的に、支持部材であるガイドホルダ２２に対して着脱できるように装着される。
【００３６】
２３は版胴１またはブランケット胴２などの回転体を支持する側部フレームであり、側部フレーム２３に固定されたブラケット２４に、ガイドホルダ２２がボルト２４ａで取付けられる。ブラケット２４と側部フレーム２３は、ベアラ３に対する、ガイドホルダ２２の固定手段を構成する。
【００３７】
ガイドホルダ２２は、ブラケット２４に取付けられる基部２２ａと、筒状に形成され筒軸方向の一端を基部２２ａに固定され、ベアラ３側側面が開口する筒軸方向のスリット部２５を備えた筒部２２ｂとを有している。
【００３８】
フェルト２０を嵌合して弾性保持したカセット２１は、スリット部２５からフェルト２０を突出させる状態で筒部２２ｂの他端側から挿入され、ガイドホルダ２２内に装着される。スリット部２５は、ベアラ３の外周面３１に面し、ベアラ３の外周面３１の回転方向と略直角ないし所定の角度をなして配向しており、フェルト２０はベアラ３の外周面３１に向けて突出している。
【００３９】
カセット２１の嵌合溝２１ａの底部２１ｂの裏側底面には脱落防止用の溝２１ｃを設け、溝２１ｃ部へ、ガイドホルダ２２の筒部２２ｂ内面底部に設けた弾性体の押圧手段（例えば板バネ、圧縮バネを備えた薄板、エアまたは油圧シリンダ等）２６を係合させ、ガイドホルダ２２から抜け出ないよう構成している。尚、板バネ等押圧手段２６は、図１に示すように、２個１組のフック部２６ａを形成したもので、ガイドホルダ２２内部においてカセット２１をベアラ３の外周面３１側へ押圧し、フェルト２０をベアラ３の外周面３１に向けて付勢するよう構成し、フェルト押付け手段となっている。また、この場合、カセット２１の裏側底面には２個１組のフック部２６ａをともに嵌合する嵌合溝２１ａ方向の溝２１ｄを設けてあり、ガイドホルダ２２内へのカセット２１の着脱の容易、装着の安定が図られている。
【００４０】
なお、ブラケット２４にさらに図示しないバネ等を設け、ガイドホルダ２２、カセット２１を介してフェルト２０がベアラ３の外周面３１に押し当てられるように構成し、ガイドホルダ２２内の押圧手段２６とともにフェルト押付け手段を構成し、フェルト２０をベアラ３の外周面３１に押付ける変位距離を大きくしてもよい。
【００４１】
又、ガイドホルダ２２の基部２２ａには、フェルト２０がカセット２１とともに装着される時、その先端が筒部２２ｂに装着されたフェルト２０内へわずかに圧入されるように突出した位置に、給油ノズル２８が取付けられている。給油ノズル２８は、オイルタンク、ポンプ、および制御弁等を備え、印刷運転時、給油ノズル２８に微量の潤滑剤としての油を微量、自動的に供給すべく構成した給油装置２９に接続され、潤滑油が供給される。
【００４２】
したがって、カセット２１装着時の給油ノズル２８先端は、フェルト２０を弾性変形させて入り込む状態になる。このため給油ノズル２８からの油が、ガイドホルダ２２の基部２２ａ端面とフェルト２０面との隙間から漏れず、フェルト２０の内部に浸透させることができる。
【００４３】
カセット２１の嵌合溝２１ａに圧入されたフェルト２０を弾性保持させるために、図３に示すように、断面コの字型に形成した嵌合溝２１ａは、開口幅Ｗ１より底部幅Ｗ２が大きく、底部２１ｂが広くなるようテーパ状に形成してある。なお、図３において、カセット２１の溝２１ｃ、２１ｄは図示省略している。
【００４４】
又、図３（ａ）に示すように、カセット２１の着脱補助手段として、カセット２１の端部側に指を引っ掛けるための段差部２９ａ設け、あるいは、同図（ｂ）に示すようにドライバー等の工具を挿入するための孔２９ｂを設けてある。
【００４５】
本実施例の回転体外周面清掃装置１００は、前項のように構成されており、カセット２１のガイドホルダ２２との着脱に際しては次のように操作する。
【００４６】
先ず、取り外しに当たっては、カセット２１の段差部２９ａに指を引っ掛け、あるいは、カセット２１の孔２９ｂにドライバー等の工具を挿入し、ガイドホルダ２２からフェルト２０を取り付けた状態でカセット２１を抜き取る。
【００４７】
次に、カセット２１の装着に当たり、ガイドホルダ２２の筒部２２ｂに対し、カセット２１をスリット部２５からフェルト２０が突出する向きにして、側方からカセット２１を挿入させる。カセット２１は、板バネ等による押圧手段２６によってスリット部２５側へ押圧された状態で、筒部２２ｂ内を摺動し、押圧手段２６のフック部２６ａがカセット２１の底面の溝２１ｃに係合することにより筒部２２ｂの軸方向、すなわち、ベアラ３の軸方向の位置が規定され、固定されることになる。その際、カセット２１の裏側裏面には嵌合溝２１ａの方向に沿って溝２１ｄが設けられているので、２個一組のフック部２６ａが順次溝２１ｄにガイドされるのでカセット２１の挿入、抜き出しがスムーズとなり、位置が安定する。
【００４８】
カセット２１に対するフェルト２０の差し替えは、カセット２１をカセットホルダ２２から取り出した後、外部に於いて行う。
【００４９】
給油方法については、適宜の種々の方法を実施できるが、微量給油を行う場合は給油装置２９のポンプを間欠的（断続的）に駆動運転制御するなどの方法がとれる。
【００５０】
以上のような、本実施例の回転面外周面清掃装置１００によれば、板バネ等の押圧手段２６によりカセット２１のガイドホルダ２２内での位置を規制しているので、カセット２１着脱の為の特段の固定、解除操作を加えることが不要である。すなわち、ガイドホルダ２２から、フェルト２０をカセット２１と共に押圧手段２６のフック部２６ａのバネ力に抗して挿入、または抜き出すことで、ワンタッチで着脱することができる。その際、図３に示すような段差部２９ａ、孔２９ｂのようなカセット着脱補助手段により着脱作業の容易化が図られる。
【００５１】
また、新しいフェルト２０を取り付けた予備のカセット２１を準備しておき、ストックしておけば、フェルト２０の差し替え交換が短時間で行える。しかも、カセット２１の嵌合溝２１ａのテーパ状溝構造によりでフェルト２０は弾性保持されているので、抜落を防止できる他、容易に使用済みのフェルト２０を新しいものに交換することができ、カセット２１は再利用できる。
【００５２】
一方、給油に関しては、フェルト２０に含浸させた油だけによらず、給油装置から適宜自動的に油がフェルト２０に補給できるので、給油忘れが無くなり確実に給油を行うことができ、長期にわたって清掃部材であるとともに給油部材であるフェルト２０の安定した維持管理ができる。
【００５３】
したがって、メンテナンスの間隔が長くなり、作業量が減少するため省力化が図れ、保守コストを低減できる。等、種々の作用効果を奏することができるものとなる。
【００５４】
以上の作用効果から、本実施例の回転体外周面清掃装置１００を、版胴１、ブランケット胴２のベアラ３、あるいは他の胴のベアラの外周面の清掃装置として用いたオフセット輪転機は、メンテナンスの時間、コストを低減でき、精度の高い安定した印刷が容易となる。
【００５５】
なお、図４は本実施例の変形例の回転体外周面清掃装置を示すものであり、前記の実施例では潤滑剤として油（潤滑油）が給油装置２９から給油ノズル２８を介してフェルト２０に供給されたが、本変形例は、給油装置２９からは潤滑剤としてグリースが給油ノズル２８を介してフェルト４０に供給されるものである。
【００５６】
本変形例においては、フェルト４０は前記のフェルト２０と同様のものであるが、グリース等潤滑用の油脂は一般に粘度が高いので、フェルト４０内に給油ノズル２８からベアラ３に当接するフェルト表面４０ａに至り開口するグリース通路４１が設けられている点が異なる。
【００５７】
従って、前記実施例と同様に、油に代えてグリースが給油ノズル２８からグリース通路４１を通りフェルト表面４０ａにおいてベアラ３の外周面３１に給油され、グリースの場合でも給油装置２９により自動給油（給脂）、間欠給油（給脂）が可能であり、同様の作用効果を奏することができるものとなる。い、また、フェルト４０内にもグリースが含浸されるので給油の安定化が図られる。そのため、ベアラ３の外周面３１の清掃条件、給油条件によっては、油を給油するものより好ましく実施できるものとなる。
【００５８】
以上、本発明を図示の一実施例について説明したが、本発明は上記の実施例に限定されず、本発明の範囲内でその具体的構造、構成に種々の変更を加えてよいことはいうまでもない。
【００５９】
例えば、清掃の対象となる回転体はオフセット輪転機等の版胴またはブランケット胴のベアラ３に限られるものではなく、他の胴のベアラを対象とでき、さらに、種々回転体を対象としてその外周面清掃に適用することができるものである。また、外周面３１の清掃部材（給油部材）としてフェルト２０を挙げて説明したが、かかる機能部材として有効なものは材質としてフェルトに限定されるものではなく、適宜な清掃部材兼給油部材となる材質のものであってよい。
【００６０】
潤滑剤としては、上記の油、グリースと同様の機能を有する潤滑剤であれば上記の油、グリースに限定されず、適宜の潤滑剤を用いるものに適用できることは勿論である。
【図面の簡単な説明】
【００６１】
【図１】本発明の一実施例に係る回転体外周面清掃装置の基本構成説明図であり、（ａ）は平面断面図、（ｂ）は（ａ）中Ｂ−Ｂ矢視による側面断面図である。
【図２】（ａ）、（ｂ）は図１のフェルトとカセットの着脱説明図である。
【図３】（ａ）、（ｂ）は図１のカセットとガイドホルダの着脱説明図である。
【図４】本実施例の変形例の回転体外周面清掃装置の基本構成説明図である。
【図５】一般的なオフセット輪転機の版胴とブランケット胴のベアラの説明図である。
【図６】（ａ）は、従来の一般的なベアラ等の回転体外周面清掃装置の概略構成説明図であり、（ｂ）は（ａ）中Ａ部詳細図である。
【図７】改良された回転体外周面清掃装置の従来例の説明図であり、（ａ）は一部切り欠いた平面図、（ｂ）は側面断面図である。
【図８】別の改良された回転体外周面清掃装置の従来例の説明図であり、（ａ）は一部切り欠いた平面図、（ｂ）は側面断面図である。
【符号の説明】
【００６２】
１                  版胴
２                  ブランケット胴
３、３ａ、３ｂ      ベアラ（回転体）
４                  ブラケット
５                  保持金具
６                  フェルト
７                  圧縮バネ
８                  押さえピン
１０                保持プレート
１１                ケース
１２                油溜めタンク
１３                浸透材
１４                支持ブラケット
１５                バネ
１６                保持部材
１６ａ              被係合部
１７                中間保持部材
１７ａ              規制部
１７ｂ              係合部
１８                バネ
２０                フェルト
２１                カセット
２１ａ              嵌合溝
２１ｂ              底部
２１ｃ、２１ｄ      溝
２２                ガイドホルダ
２２ａ              基部
２２ｂ              筒部
２３                側部フレーム
２４                ブラケット
２５                スリット部
２６                押圧手段
２６ａ              フック部
２８                給油ノズル
２９                給油装置
３１                外周面
４０                フェルト
４０ａ              フェルト表面
４１                グリース通路
１００              回転体外周面清掃装置
２００              回転体外周面清掃装置
３００              ベアラワイパ
４００              回転体の異物清掃装置
【図１】
2005138355.tif 000003
【図２】
2005138355.tif 000004
【図３】
2005138355.tif 000005
【図４】
2005138355.tif 000006
【図５】
2005138355.tif 000007
【図６】
2005138355.tif 000008
【図７】
2005138355.tif 000009
【図８】
2005138355.tif 000010